(57)【特許請求の範囲】
【請求項１】
窓枠に固定されるとともに、室内外方向の貫通孔が形成された台座と、先端が突出し障子に連結され、前記貫通孔内にスライド可能に挿通された突出しアームとからなり、
前記突出しアームは、基端側に摘み部が形成された棒状のアーム本体と、このアーム本体の先端側に連結された障子連結板とからなり、前記アーム本体は、突出し障子の開窓状態で前記台座に係止して該突出しアームをスライド不能に保持するストッパー係止部を備えるとともに、中間に幅方向に沿って凹状溝が形成され、かつ該アーム本体の部材長手方向に長い長孔を有し、
前記障子連結板は、前記アーム本体の長孔に係合するピン部材によって連結されるとともに、バネ材による付勢力によって前記摘み部側方向に付勢保持され、かつアーム本体側に形成された係合孔に係合する係合突部を有し、係合状態でアーム本体に対して直線的に保持され、
前記台座は、前記貫通孔内の壁面に前記障子連結板の室内側端部が衝合する段差部を有するとともに、前記貫通孔の室内側位置から屈曲方向に連続して前記突出しアームの施錠位置空間とを有し、前記貫通孔の室内側であって前記施錠位置空間との略境界部に施錠位置規制用凸部を備え、
突出し窓への取付け状態で、前記突出しアームを室外側方向にスライドさせ、前記アーム本体のストッパー係止部を台座に係止させ、該突出しアームをスライド不能に保持した突出し障子の開窓状態と、
前記ストッパー係止部の係止を解除し、前記突出しアームを室内側方向にスライドさせ、前記障子連結板の室内側端部が前記貫通孔内に形成された段差部に衝合した状態から更に前記バネ材の付勢力に抗して引込み、前記係合突部と係合孔との係合を解除するとともに、前記アーム本体に形成された前記凹状溝の形成範囲が前記施錠位置規制用凸部に位置決めされた状態で、前記アーム本体を前記ピン部材を回動中心として前記施錠位置空間側に回動させ、前記凹状溝が前記施錠位置規制用凸部を乗り越えた段階で前記バネ材の付勢力によって該アーム本体が台座側に引き込まれ、前記アーム本体が前記施錠位置規制用凸部によって回動不能に保持された突出し障子の施錠状態との間で切り換え操作可能としたことを特徴とする突出し窓用開閉装置。
【請求項２】
前記アーム本体の摘み部に形成された押釦により前記ストッパー係止部の解除操作可能としてある請求項１記載の突出し窓用開閉装置。
【請求項３】
前記アーム本体に形成された凹状溝は、前記摘み部側に膨出する弧状曲線を成す請求項１，２いずれかに記載の突出し窓用開閉装置。
【発明の詳細な説明】
【技術分野】
【０００１】
本発明は、突出し窓の開閉操作を容易にするとともに、確実な施錠を可能にした突出し窓用開閉装置に関する。
【背景技術】
【０００２】
従来より、窓枠の内側に設けた突出し障子に備えられたハンドルの押操作によってその突出し障子を屋外に向けて回動させるようにした突出し窓においては、突出し障子を開けたときの開き幅を制限するため、その突出し障子と窓枠とを連結するチェーンやアーム等の開き幅制限装置を備えている。しかし、突出し障子の開閉操作時に、前記ハンドルと開き幅制限装置とを両手で操作する形態のものが多く、操作が困難であった。
【０００３】
また、突出し窓においては、防犯の点から、閉窓状態で確実な施錠がされ、安全性の点から、開窓状態で堅固な開き幅制限装置による開き幅の確保が望まれていた。
【０００４】
近年では、このような問題を解決すべく、幾つかの形態の開き幅制限装置構造が提案されている。例えば、下記特許文献１では、窓枠に取付けられる受具と、突出し障子に取付けられる掛具とから成り、掛具は障子枠に取付けられる座と、その座の対向側板によって下部が回動自在に支持されたハンドルと、そのハンドルの下方に配置され、座の対向側板によって一端部が回動自在に支持されたラッチとを有し、上記ハンドルの下端部に支持片を設け、ラッチの一端部には上記支持片上に係合する係合片を形成し、ラッチの他端部に円弧面を設け、前記座の下方に突出する円弧面の下端部と受具に設けた係合部との係合によって突出し障子を閉じた状態に保持する突出し窓用カムラッチハンドルにおいて、前記ラッチを第１ラッチ片と第２ラッッチ片とに分割し、第１ラッチ片の円弧面の半径を第２ラッチ片の円弧面の半径より小径とし、各ラッチの円弧面の下端部が座の側板下方に突出する方向に各ラッチを個別のスプリングで押圧したことを特徴とする突出し窓用カムラッチハンドルが提案されている。
【０００５】
また、下記特許文献２では、建築物の外壁等に形成の開口部に固設される枠体と、該枠体に支持機構の配在下に連繋される窓本体とを有して、窓本体を枠体に対して屋内側と屋外側との間でスライド移動し得るように設定されてなる突出し窓において、窓本体の左右各部の中央部に連設される一対の本体側ブラケットと、該一対の本体側ブラケットに対応するように枠体に連設される一対の枠体側ブラケットと、先端が本体側ブラケットに回動可能に連結され先端部から後端部にかけてに形成されたガイド孔に左右の枠体側ブラケットに植設のガイドピンを挿通させてなる左右一対の揺動アームと、該一対の揺動アームの後端に連結されるハンドルとを有してなる突出し窓のハンドル構造が提案されている。
【特許文献１】特開平８−１６５８３１号公報
【特許文献２】特開平１０−２１４９号公報
【発明の開示】
【発明が解決しようとする課題】
【０００６】
しかしながら、上記特許文献１では、障子の閉鎖時に第１ラッチ片の円弧面が係合部に係合するため、閉窓状態を確実に保持できるようになるものの、開窓状態の開き幅制限手段については考慮されていない。また、上記特許文献２では、突出し窓の上下方向の中央部を横切るように配在されるハンドルを引き起こしたり押し下げたりすることで窓の施錠を行うもので、容易に施錠状態が解除されるなど安全性に問題があった。
【０００７】
そこで、本発明の主たる課題は、突出し障子の開閉操作が簡便にでき、確実な施錠を可能とした突出し窓用開閉装置を提供することにある。
【課題を解決するための手段】
【０００８】
前記課題を解決するために請求項１に係る本発明として、窓枠に固定されるとともに、室内外方向の貫通孔が形成された台座と、先端が突出し障子に連結され、前記貫通孔内にスライド可能に挿通された突出しアームとからなり、
前記突出しアームは、基端側に摘み部が形成された棒状のアーム本体と、このアーム本体の先端側に連結された障子連結板とからなり、前記アーム本体は、突出し障子の開窓状態で前記台座に係止して該突出しアームをスライド不能に保持するストッパー係止部を備えるとともに、中間に幅方向に沿って凹状溝が形成され、かつ該アーム本体の部材長手方向に長い長孔を有し、
前記障子連結板は、前記アーム本体の長孔に係合するピン部材によって連結されるとともに、バネ材による付勢力によって前記摘み部側方向に付勢保持され、かつアーム本体側に形成された係合孔に係合する係合突部を有し、係合状態でアーム本体に対して直線的に保持され、
前記台座は、前記貫通孔内の壁面に前記障子連結板の室内側端部が衝合する段差部を有するとともに、前記貫通孔の室内側位置から屈曲方向に連続して前記突出しアームの施錠位置空間とを有し、前記貫通孔の室内側であって前記施錠位置空間との略境界部に施錠位置規制用凸部を備え、
突出し窓への取付け状態で、前記突出しアームを室外側方向にスライドさせ、前記アーム本体のストッパー係止部を台座に係止させ、該突出しアームをスライド不能に保持した突出し障子の開窓状態と、
前記ストッパー係止部の係止を解除し、前記突出しアームを室内側方向にスライドさせ、前記障子連結板の室内側端部が前記貫通孔内に形成された段差部に衝合した状態から更に前記バネ材の付勢力に抗して引込み、前記係合突部と係合孔との係合を解除するとともに、前記アーム本体に形成された前記凹状溝の形成範囲が前記施錠位置規制用凸部に位置決めされた状態で、前記アーム本体を前記ピン部材を回動中心として前記施錠位置空間側に回動させ、前記凹状溝が前記施錠位置規制用凸部を乗り越えた段階で前記バネ材の付勢力によって該アーム本体が台座側に引き込まれ、前記アーム本体が前記施錠位置規制用凸部によって回動不能に保持された突出し障子の施錠状態との間で切り換え操作可能としたことを特徴とする突出し窓用開閉装置が提供される。
【０００９】
上記請求項１に係る本発明では、前記突出しアームを室内外方向にスライドすることにより突出し障子の開閉が簡便にでき、施錠に当たっては、前記突出しアームを摘んだまま、若干室内側に引き込むことにより回動操作が可能となり、回動操作を終えた時点で自動的に引き込まれ、回動不能に保持されるようにしたため、確実な施錠が可能となる。
【００１０】
請求項２に係る本発明として、前記アーム本体の摘み部に形成された押釦により前記ストッパー係止部の解除操作可能としてある請求項１記載の突出し窓用開閉装置が提供される。
【００１１】
上記請求項２に係る本発明では、アーム本体の摘み部にストッパー係止部の解除操作するための押釦を設けるようにしたため、開窓状態から施錠状態の一連の操作が摘み部を摘んだ状態で行えるようになり、突出し障子の開閉操作を簡便に行うことができる。
【００１２】
請求項３に係る本発明として、前記アーム本体に形成された凹状溝は、前記摘み部側に膨出する弧状曲線を成す請求項１，２いずれかに記載の突出し窓用開閉装置が提供される。
【００１３】
上記請求項３に係る本発明では、前記アーム本体に形成された前記凹状溝の形成範囲が前記施錠位置規制用凸部に位置決めされた状態で、前記アーム本体を前記ピン部材を回動中心として前記施錠位置空間側に回動させる際、前記凹状溝が前記摘み部側に膨出する弧状曲線状に形成されていることにより、アーム本体のスムーズな回動が可能となる。
【発明の効果】
【００１４】
以上詳説のとおり本発明によれば、突出し窓の簡便な開閉操作及び確実な施錠が可能となる。
【発明を実施するための最良の形態】
【００１５】
以下、本発明の実施の形態について図面を参照しながら詳述する。
図１は本発明に係る突出し窓用開閉装置１を突出し窓２に取り付けた状態を示す縦断面図、図２は突出し窓用開閉装置１の(A)開窓状態、(B)施錠状態を示す斜視図、図３はその施錠状態を示す(A)平面図、(B)側面図、(C)正面図である。
【００１６】
前記突出し窓２は、図１に示されるように、例えば方形状、円形、又は矩形等の窓枠３の内部に、一方側端部において軸回りに回動自在に支持され、他方側端部の押操作により屋外に向けて開窓させるようにした突出し障子４が配設されたものである。
【００１７】
前記窓枠３及び突出し障子４の他方側端部の室内側には、突出し障子４の簡便な開閉と閉窓状態の確実な施錠とを図るため、本発明に係る突出し窓用開閉装置１が設けられる。
【００１８】
前記突出し窓用開閉装置１は、図２及び図３に示されるように、窓枠３に固定されるとともに、室内外方向の貫通孔７が形成された台座５と、先端が突出し障子４に連結され、前記貫通孔７内にスライド可能に挿通された突出しアーム６とから構成される。
【００１９】
ここで、前記突出しアーム６は、図４に示されるように、アーム本体８と、このアーム本体８の先端側に連結された障子連結板９とから主に構成される。
【００２０】
前記アーム本体８は、図示例では断面略方形状の棒状体であって、その基端側に断面が大きく形成された摘み部８ａが一体的に設けられている。このアーム本体８の中間部上面には、幅方向に沿って凹状溝１０が形成されている。この凹状溝１０は、施錠操作時に、前記突出しアーム６を引込んで、凹状溝１０の形成範囲が後述する施錠位置規制用凸部１１に位置決めされることにより前記突出しアーム６を回動可能な状態にするとともに、回動操作を終えた時点で、すなわち前記凹状溝１０が前記施錠位置規制用凸部１１を乗り越えた時点で、自動的に引き込まれ、回動不能に保持するためのものである。前記突出しアーム６のスムーズな回動を可能とするため、前記凹状溝１０は室内側に膨出する弧状曲線状に形成することが好ましい。
【００２１】
また、前記アーム本体８には、図４に示されるように、突出し障子４の開窓状態で前記台座５に係止し該突出しアーム６をスライド不能に保持するストッパー１２を備えるようにする。前記ストッパー１２は、ストッパー本体１２ａにストッパー解除操作のための押釦１２ｂと、開窓状態で前記台座５に係止し前記突出しアーム６のスライドを不能にするためのストッパー係止部１２ｃとが設けられた部材であり、前記押釦１２ｂとストッパー係止部１２ｃとがそれぞれアーム本体８に形成された開口８ｂ、８ｃに内部から嵌合されるとともに、スプリング１３の付勢力によって外部に突出するように付勢保持される。このストッパー１２は、前記押釦１２ｂが前記アーム本体８の摘み部８ａに形成され、前記押釦１２ｂの押圧によりストッパー係止部１２ｃが没入して、ストッパー機能を解除できるようになっている。前記ストッパー１２の配設後、裏面には保護カバー１４がビス１５によって固定される。
【００２２】
前記障子連結板９は、図４に示されるように、室内側にアーム本体８と連結するための支持孔９ａが形成されるとともに、室外側に突出し障子４の連結軸４ａと遊嵌状態で連結される連結孔９ｂとが形成され、これら支持孔９ａと連結孔９ｂとの中間には、板面をコ字状に切り欠き起立させることにより室内側に向けてＬ字状に屈曲する係合突部１６が設けられている。
【００２３】
この障子連結板９は、アーム本体８に一体的に取付けられる裏板１７に対し、ピン部材１８により連結される。前記裏板１７は、アーム本体８に対する取付けのために組立ピン孔１７ｄ、１７ｄが設けられるとともに、室外側に形成された起立片に係合孔１７ｃが形成され、かつ中間に前記アーム本体８の部材長手方向に長い長孔１７ａが形成され、さらに室内側端部にバネ係止用立設片１７ｂが形成された部材である。前記障子連結板９は、前記裏板１７の長孔１７ａに貫通するピン部材１８によって連結されるとともに、このピン部材１８と前記裏板１７のバネ係止用立設片１７ｂとを連結するように配設されたバネ材１９による付勢力によって前記アーム本体８の摘み部８ａ方向に付勢保持されている。そして、前記障子連結板９は、前記係合突部１６が前記裏板１７の先端に形成された係合孔１７ｃに係合することにより、前記アーム本体８に対して直線的に保持されるようになっている。
【００２４】
一方、前記台座５は、図５及び図６に示されるように、略直方体のブロック形状を成し、室内外方向に前記突出しアーム６をスライド可能に挿通状態で保持する貫通孔７が設けられている。この貫通孔７内の壁面（図示例では下面）に、前記突出しアーム６の先端に備えられる障子連結板９の室内側端部が衝合して該障子連結板９の室内方向へのスライドを制限するための段差部２０が設けられている。
【００２５】
また、前記台座５は、前記貫通孔７の室内側位置から屈曲方向に連続して前記突出しアーム６を回動させて施錠を図るための施錠位置空間２１が設けられ、前記貫通孔７の室内側であって前記施錠位置空間２１との略境界部に施錠位置規制用凸部１１が設けられている。なお、前記台座５には、室外側位置に、窓枠３にネジ固定するための２箇所のネジ取付孔５ａ、５ａが設けられている。さらに、前記アーム本体８のストッパー係止部１２ｃを係止させるための係止部５ｂが前記貫通孔７の側面室内側に設けられているとともに、施錠時にアーム本体８の先端が係合するための嵌合凹部５ｃが設けられている。前記施錠位置規制用凸部１１は、後述するように、突出しアーム６をスムーズに回動させることができるように、四分円形状に形成することが好ましい。
【００２６】
前記突出しアーム６と台座５との組立ては、図４(B)に示されるように、アーム本体８にストッパー１２、スプリング１３及び保護カバー１４を取り付けた後、図７(A)に示されるように、アーム本体８を先端部側から台座５の貫通孔７に挿入する。その後、同図(B)に示されるように、裏板１７と一体的に連結された障子連結板９を前記アーム本体８の先端部分であって、ピン孔８ｄ、８ｄに挿入した組立ピン２２，２２によって固定する。
【００２７】
このようにして組み立てられた突出し窓用開閉装置１は、図８に示されるように、突出しアーム６が台座５の貫通孔７内にスライド可能に取り付けられるとともに、障子連結板９がバネ材１９の付勢力に抗して長孔１７ａの範囲内で室内外方向にスライド可能とされ、かつ係合突部１６を裏板１７の係合孔１７ｃから係合解除した場合にはピン部材１８を回動中心として回動可能となる。
【００２８】
上述のように構成される突出し窓用開閉装置１においては、突出し窓２への取付け状態で、前記突出しアーム６を室外側方向にスライドさせ、前記アーム本体８のストッパー１２の係止部１２ｃを台座５の係止部５ｂに係止させ、該突出しアーム６をスライド不能に保持した突出し障子４の開窓状態と、前記ストッパー係止部１２ｃの係止を解除し、前記突出しアーム６を室内側方向にスライドさせ、前記障子連結板９の室内側端部が前記貫通孔７内に形成された段差部２０に衝合した状態から更に前記バネ材１９の付勢力に抗して引込み、前記係合突部１６と係合孔１７ｃとの係合を解除するとともに、前記アーム本体８に形成された前記凹状溝１０の形成範囲が前記施錠位置規制用凸部１１に位置決めされた状態で、前記アーム本体８を前記ピン部材１８を回動中心として前記施錠位置空間２１側に回動させ、前記凹状溝１０が前記施錠位置規制用凸部１１を乗り越えた段階で前記バネ材１９の付勢力によって台座５側に引き込まれ、前記アーム本体８の先端が台座５の嵌合凹部５ｃに嵌合するとともに、該前記アーム本体８が前記施錠位置規制用凸部１１によって回動不能に保持された突出し障子４の施錠状態との間で切り換え操作される。
【００２９】
これにより、本発明に係る突出し窓用開閉装置１は、突出しアーム６を室内外方向にスライドさせるだけの簡便な操作によって突出し障子４の開閉を可能とし、施錠状態で突出しアーム６を前記施錠位置規制用凸部１１によって回動不能に保持して確実な施錠を可能とする。
【００３０】
次に、図９に基づいて、突出し窓用開閉装置１の操作手順について具体的に詳述する。図９は突出し窓２に装着した状態の突出し窓用開閉装置１の水平断面図である。
【００３１】
まず、図９(A)に示されるように、突出し障子４の開窓状態では、突出しアーム６を室外側方向にスライドさせ、前記アーム本体８のストッパー係止部１２ｃを台座５に係止させ、突出しアーム６がスライド不能に保持されている。このストッパー１２により、突出し障子４は安全に開窓状態が保持されるようになっている。この開窓状態から、摘み部８ａに備えられた押釦１２ｂを押圧してストッパー係止部１２ｃの係止を解除した後、突出しアーム６を室内側方向にスライドさせる。この突出しアーム６のスライド操作により、突出し障子４の閉窓が開始される。
【００３２】
その後、図９(B)に示されるように、突出し障子４が完全に閉窓されると同時に、障子連結板９の室内側端部が貫通孔７内に形成された段差部２０に衝合する。これにより、前記障子連結板９は、室内側方向へのスライド及び回動が制限されるようになる。なお、この状態では、障子連結板９の係合突部１６が係合孔１７ｃに係合するとともに、アーム本体８の側面に施錠位置規制用凸部１１が存在しているため、アーム本体８の回動は制限されている。
【００３３】
次に、図９(C)に示されるように、前述の障子連結板９の室内側端部が貫通孔７内に形成された段差部２０に衝合した状態から、更に前記バネ材１９の付勢力に抗してアーム本体８を室内側へ引込み、前記障子連結板９の係合突部１６を係合孔１７ｃから解除するとともに、アーム本体８に形成された凹状溝１０の形成範囲に前記施錠位置規制用凸部１１を位置決めした状態にする。
【００３４】
これによって、アーム本体８は、図９(D)に示されるように、前記ピン部材１８を回動中心として施錠位置空間２１側へ回動可能な状態となる。
【００３５】
その後、図９(E)に示されるように、凹状溝１０が施錠位置規制用凸部１１を乗り越えた段階でバネ材１９の付勢力によって自動的に台座５側に引き込まれ、前記アーム本体８の先端が嵌合凹部５ｃに嵌合するとともに、該アーム本体８が前記施錠位置規制用凸部１１によって回動不能に保持された施錠状態となる。
【００３６】
上述のように、突出し障子４の開窓状態と施錠状態との間の切り換えが、突出しアーム６のスライド及び回動の一連の操作によって可能となり、突出し障子４の開閉操作が簡便になる。さらに、施錠状態を解除するには、前記アーム本体８を自動的に引込まれた方向と逆側に引き出し、回動させる動作が必要となるため、容易に解錠されず確実な施錠が確保され、更に防犯効果の向上も図れる。
【図面の簡単な説明】
【００３７】
【図１】本発明に係る突出し窓用開閉装置１を突出し窓２に取り付けた状態を示す縦断面図である。
【図２】突出し窓用開閉装置１の(A)開窓状態、(B)施錠状態を示す斜視図である。
【図３】突出し窓用開閉装置１の施錠状態を示す(A)平面図、(B)側面図、(C)正面図である。
【図４】突出しアーム６の分解図である。
【図５】台座５を示す、(A)は上方からの斜視図、(B)は下方からの斜視図である。
【図６】台座５の水平断面図である。
【図７】突出し窓用開閉装置１の組立て要領を示す斜視図である。
【図８】障子連結板９の変形状態を示す突出し窓用開閉装置１の下方からの斜視図である。
【図９】(A)〜(E)は突出し窓用開閉装置１の操作手順図である。
【符号の説明】
【００３８】
１…突出し窓用開閉装置、２…突出し窓、３…窓枠、４…障子、５…台座、６…突出しアーム、７…貫通孔、８…アーム本体、８ａ…摘み部、９…障子連結板、１０…凹状溝、１１…施錠位置規制用凸部、１２…ストッパー、１３…スプリング、１４…保護カバー、１５…ビス、１６…係合突部、１７…裏板、１８…ピン部材、１９…バネ材、２０…段差部、２１…施錠位置空間、２２…組立ピン
【図１】
0004817177.tif 000002
【図２】
0004817177.tif 000003
【図３】
0004817177.tif 000004
【図４】
0004817177.tif 000005
【図５】
0004817177.tif 000006
【図６】
0004817177.tif 000007
【図７】
0004817177.tif 000008
【図８】
0004817177.tif 000009
【図９】
0004817177.tif 000010